(57)【要約】【課題】従来の電気掃除機において、搭載している脱臭フィルターと排気空気との接触時間が短く、脱臭効率が小さく臭気の低減も小さいという課題を有していた。【解決手段】塵埃検出手段２１の上流側の経路を集塵が通過する集塵通路２２と脱臭剤を吸引する脱臭剤通路２４とに二分し、その通路を切換える通路切換え手段２５を設けて通路を切換えるようにしたので、塵埃捕集部に流入した塵埃の集塵量と脱臭剤量とが、同じ塵埃検出手段２１を用いて検出できるようになり、別の脱臭剤量検出手段を設けることなく、塵埃の集塵量に応じた消臭効果が得られる脱臭剤を、適正量、供給可能な電気掃除機が実現できる。【選択図】図３
2008036110.tif 000002
【特許請求の範囲】
【請求項１】
吸引力を発生する電動送風機と、吸引された塵埃を捕集する塵埃捕集部と、塵埃の臭いを脱臭すると共に、前記電動送風機の吸引力により前記塵埃捕集部に流入される粉状または粒状の脱臭剤と、前記塵埃捕集部の上流に設けられ、塵埃および脱臭剤の量を検出する塵埃検出手段と、前記塵埃検出手段の上流に設けられた、集塵が通過する集塵通路と、同じく前記塵埃検出手段の上流に設けられた、前記脱臭剤をその途中に有すると共に前記脱臭剤が通過する脱臭剤通路と、前記塵埃検出手段の上流に設けられ、前記集塵通路または脱臭剤通路のいずれか一方のみを前記塵埃捕集部と連通させる通路切換え手段と、制御手段とを備え、前記通路切換え手段が集塵通路側に切換えられ、集塵通路と塵埃捕集部が連通している際に、集塵通路を通過し塵埃検出手段により検出された塵埃量が、予め定めた所定値を超えると、前記制御手段により通路切換え手段は脱臭剤通路側に切換えられ、脱臭剤通路と塵埃捕集部とが連通し、前記電動送風機の吸引力により脱臭剤通路を通過し塵埃検出手段により検出された脱臭剤量が、予め定めた所定値を超えると、再び前記通路切換え手段が集塵通路側に切換えられるというように、繰り返し、通路切換え手段の切換えを行うことを特徴とする電気掃除機。
【請求項２】
吸引力を発生する電動送風機と、前記電動送風機をＯＮさせた状態で、清掃作業をＯＮ、ＯＦＦにより開始、終了させる操作手段と、吸引された塵埃を捕集する塵埃捕集部と、塵埃の臭いを脱臭すると共に、前記電動送風機の吸引力により前記塵埃捕集部に流入される粉状または粒状の脱臭剤と、前記塵埃捕集部の上流に設けられ、塵埃および脱臭剤の量を検出する塵埃検出手段と、前記塵埃検出手段の上流に設けられた、集塵が通過する集塵通路と、同じく前記塵埃検出手段の上流に設けられた、前記脱臭剤をその途中に有すると共に前記脱臭剤が通過する脱臭剤通路と、前記塵埃検出手段の上流に設けられ、前記集塵通路または脱臭剤通路のいずれか一方のみを前記塵埃捕集部と連通させる通路切換え手段と、制御手段とを備え、前記操作手段により清掃作業が開始されると、通路切換え手段は集塵通路側に切換えられ、前記集塵通路と塵埃捕集部とが連通し、集塵通路を通過した塵埃が、塵埃検出手段を通って塵埃捕集部に捕集され、その後前記操作手段により清掃作業が終了されると、前記通路切換え手段が脱臭剤通路側に切換えられて、脱臭剤通路と塵埃捕集部とが連通し、前記電動送風機の吸引力により脱臭剤通路を通過し塵埃検出手段により検出された脱臭剤量が、前記清掃作業中に塵埃検出手段により検出された塵埃量に応じて予め設定された脱臭剤量を超えると、電動送風機をＯＦＦすることを特徴とする電気掃除機。
【請求項３】
塵埃捕集部に流入させる、単位塵埃量あたりの脱臭剤量に応じて、電動送風機の吸引力を調整することができることを特徴とする請求項１または２記載の電気掃除機。
【請求項４】
脱臭剤がなくなった旨を報知させる脱臭剤補充報知手段を備え、通路切換え手段が脱臭剤通路側に切換えられているときで、且つ塵埃検出手段を通過する脱臭剤が検知されないときは、前記脱臭剤補充報知手段を報知させることを特徴とする請求項１〜３のいずれか１項記載の電気掃除機。
【請求項５】
脱臭剤補充報知手段が報知を行った際、所定時間経過後、脱臭剤の補充の有無とは無関係に、通路切換え手段が集塵通路側に切換えられることを特徴とする請求項４記載の電気掃除機。
【請求項６】
脱臭剤通路の途中に備えられた脱臭剤の上流側に、フィルターを設けたことを特徴とする請求項１〜５のいずれか１項記載の電気掃除機。
【発明の詳細な説明】
【技術分野】
【０００１】
本発明は、集塵された塵埃の臭いを抑制するための脱臭剤の投入の制御に関するものである。
【背景技術】
【０００２】
従来から電気掃除機の排気脱臭に関しては、排気経路に脱臭フィルターを搭載する構成のものが提案されている（例えば、特許文献１参照）。
【特許文献１】特許第３２３８０５５号公報
【発明の開示】
【発明が解決しようとする課題】
【０００３】
しかしながら、上記の排気経路に脱臭フィルターを搭載する方法では、電気掃除機の吸引量が大きいため、脱臭フィルターと臭気を含む排気空気との接触時間が短くなり、脱臭効率が小さく臭気の低減も小さいという課題を有するものであった。
【０００４】
本発明は、上記の課題を解決するものであり、脱臭剤を直接集塵部に投入し、塵埃の臭気を除去することにより、排気の臭気を大幅に低減した電気掃除機を提供することを目的としている。
【課題を解決するための手段】
【０００５】
前記従来の課題を解決するために、本発明の電気掃除機は、吸引力を発生する電動送風機と、吸引された塵埃を捕集する塵埃捕集部と、塵埃の臭いを脱臭すると共に、前記電動送風機の吸引力により前記塵埃捕集部に流入される粉状または粒状の脱臭剤と、前記塵埃捕集部の上流に設けられ、塵埃および脱臭剤の量を検出する塵埃検出手段と、前記塵埃検出手段の上流に設けられた、集塵が通過する集塵通路と、同じく前記塵埃検出手段の上流に設けられた、前記脱臭剤をその途中に有すると共に前記脱臭剤が通過する脱臭剤通路と、前記塵埃検出手段の上流に設けられ、前記集塵通路または脱臭剤通路のいずれか一方のみを前記塵埃捕集部と連通させる通路切換え手段と、制御手段とを備え、前記通路切換え手段が集塵通路側に切換えられ、集塵通路と塵埃捕集部が連通している際に、集塵通路を通過し塵埃検出手段により検出された塵埃量が、予め定めた所定値を超えると、前記制御手段により通路切換え手段は脱臭剤通路側に切換えられ、脱臭剤通路と塵埃捕集部とが連通し、前記電動送風機の吸引力により脱臭剤通路を通過し塵埃検出手段により検出された脱臭剤量が、予め定めた所定値を超えると、再び前記通路切換え手段が集塵通路側に切換えられるというように、繰り返し、通路切換え手段の切換えを行うことを特徴とするものである。
【０００６】
そして、塵埃検出手段の上流に、塵埃が通過する通路と脱臭剤が通過する通路の２経路が設けられ、切換え手段により、塵埃検出手段には、塵埃か、脱臭剤のいずれか一方しか通過せず、両方が同時に通過することはないため、塵埃の集塵量と脱臭剤量とを、同じ塵埃検出手段で検知でき、新たな脱臭剤量検知手段を設けることなく、塵埃の集塵量に応じた消臭効果が得られる脱臭剤量を正確に塵埃捕集部に適正量流入させることができる。
【発明の効果】
【０００７】
本発明の電気掃除機は、塵埃捕集手段に流入した塵埃の集塵量と脱臭剤量を塵埃検出手段のみで検知でき、かつ塵埃の集塵量に応じた消臭効果が得られる脱臭剤量を正確に塵埃捕集手段に適正量流入させることができるため、塵埃の臭いを脱臭剤で確実に脱臭できるようになり、より安価で使用性が向上した電気掃除機を提供することができる。
【発明を実施するための最良の形態】
【０００８】
第１の発明は、吸引力を発生する電動送風機と、吸引された塵埃を捕集する塵埃捕集部と、塵埃の臭いを脱臭すると共に、前記電動送風機の吸引力により前記塵埃捕集部に流入される粉状または粒状の脱臭剤と、前記塵埃捕集部の上流に設けられ、塵埃および脱臭剤の量を検出する塵埃検出手段と、前記塵埃検出手段の上流に設けられた、集塵が通過する集塵通路と、同じく前記塵埃検出手段の上流に設けられた、前記脱臭剤をその途中に有すると共に前記脱臭剤が通過する脱臭剤通路と、前記塵埃検出手段の上流に設けられ、前記集塵通路または脱臭剤通路のいずれか一方のみを前記塵埃捕集部と連通させる通路切換え手段と、制御手段とを備え、前記通路切換え手段が集塵通路側に切換えられ、集塵通路と塵埃捕集部が連通している際に、集塵通路を通過し塵埃検出手段により検出された塵埃量が、予め定めた所定値を超えると、前記制御手段により通路切換え手段は脱臭剤通路側に切換えられ、脱臭剤通路と塵埃捕集部とが連通し、前記電動送風機の吸引力により脱臭剤通路を通過し塵埃検出手段により検出された脱臭剤量が、予め定めた所定値を超えると、再び前記通路切換え手段が集塵通路側に切換えられるというように、繰り返し、通路切換え手段の切換えを行うことを特徴とするものである。
【０００９】
そして、塵埃検出手段の上流に、塵埃が通過する通路と脱臭剤が通過する通路の２経路が設けられ、切換え手段により、塵埃検出手段には、塵埃か、脱臭剤のいずれか一方しか通過せず、両方が同時に通過することはないため、塵埃の集塵量と脱臭剤量とを、同じ塵埃検出手段で検知でき、新たな脱臭剤量検知手段を設けることなく、塵埃の集塵量に応じた消臭効果が得られる脱臭剤量を正確に塵埃捕集部に適正量流入させることができる。
【００１０】
第２の発明は、吸引力を発生する電動送風機と、前記電動送風機をＯＮさせた状態で、清掃作業をＯＮ、ＯＦＦにより開始、終了させる操作手段と、吸引された塵埃を捕集する塵埃捕集部と、塵埃の臭いを脱臭すると共に、前記電動送風機の吸引力により前記塵埃捕集部に流入される粉状または粒状の脱臭剤と、前記塵埃捕集部の上流に設けられ、塵埃および脱臭剤の量を検出する塵埃検出手段と、前記塵埃検出手段の上流に設けられた、集塵が通過する集塵通路と、同じく前記塵埃検出手段の上流に設けられた、前記脱臭剤をその途中に有すると共に前記脱臭剤が通過する脱臭剤通路と、前記塵埃検出手段の上流に設けられ、前記集塵通路または脱臭剤通路のいずれか一方のみを前記塵埃捕集部と連通させる通路切換え手段と、制御手段とを備え、前記操作手段により清掃作業が開始されると、通路切換え手段は集塵通路側に切換えられ、前記集塵通路と塵埃捕集部とが連通し、集塵通路を通過した塵埃が、塵埃検出手段を通って塵埃捕集部に捕集され、その後前記操作手段により清掃作業が終了されると、前記通路切換え手段が脱臭剤通路側に切換えられて、脱臭剤通路と塵埃捕集部とが連通し、前記電動送風機の吸引力により脱臭剤通路を通過し塵埃検出手段により検出された脱臭剤量が、前記清掃作業中に塵埃検出手段により検出された塵埃量に応じて予め設定された脱臭剤量を超えると、電動送風機をＯＦＦすることを特徴とするものであり、一回の清掃作業において、清掃作業終了に塵埃捕集手段に流入した塵埃量に応じた脱臭剤を流入させることができるため、清掃作業中に通路切換え手段の切換えを行うことなく、塵埃の臭いを脱臭剤で確実に脱臭できるようになり、より使用性が向上した電気掃除機を提供することができる。
【００１１】
第３の発明は、塵埃捕集部に流入させる、単位塵埃量あたりの脱臭剤量に応じて、電動送風機の吸引力を調整することができることを特徴とするものであり、流入させる脱臭剤量が少ない場合は、一度に多量の脱臭剤が流入しないよう吸引力を下げるようにし、多い場合は早く多量の脱臭剤が流入するよう吸引力を上げるようにすることで、より最適に適正な脱臭剤量を流入させることのできる電気掃除機を提供することができる。
【００１２】
第４の発明は、脱臭剤がなくなった旨を報知させる脱臭剤補充報知手段を備え、通路切換え手段が脱臭剤通路側に切換えられているときで、且つ塵埃検出手段を通過する脱臭剤が検知されないときは、前記脱臭剤補充報知手段を報知させることを特徴としたものであり、脱臭剤補充表示手段により脱臭剤がなくなったことを使用者に知らせることができるため、より使用性が向上した電気掃除機を提供することができる。
【００１３】
第５の発明は、脱臭剤補充報知手段が報知を行った際、所定時間経過後、脱臭剤の補充の有無とは無関係に、通路切換え手段が集塵通路側に切換えられることを特徴としたものであり、脱臭剤の補充の有無とは無関係に、所定時間経過後、通路切換え手段が集塵通路側に切換えるようにすることで、使用者が再び掃除作業ができるようになり、より使用性が向上した電気掃除機を提供することができる。
【００１４】
第６の発明は、脱臭剤通路の途中に備えられた脱臭剤の上流側に、フィルターを設けたことを特徴としたものであり、フィルターを設けることで外気中の塵埃が脱臭剤と共に塵埃検知手段を通過することを防止でき、より正確に塵埃捕集部に流入する脱臭剤量を検出できる電気掃除機を提供することができる。
【００１５】
以下、本発明の実施の形態について、図面を参照しながら説明する。なお、本実施の形態によって本発明が限定されるものではない。
【００１６】
（実施の形態１）
本発明の第１の実施の形態における電気掃除機について、図１〜４を用いて説明する。
【００１７】
図１は、本実施の形態における電気掃除機の全体斜視図であり、１は掃除機本体で、後部に電動送風機２が配され、前部に塵埃を捕集する塵埃捕集部３が配されている。掃除機本体１の前部には、ホース８の一端に設けた接続パイプ９が着脱自在に接続される吸気口１０が設けられている。ホース８の他端には、掃除動作を操作する手元操作部１１を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動する電動機１５を内蔵した吸い込み具１６に着脱自在に接続される。
【００１８】
図２は、接続パイプ９近傍の断面図である。塵埃捕集手段３よりも上流側に位置する接続パイプ９には、塵埃が流れる空気通路内に光を放つ発光部２３０、発光部２３０からの光を受光し受光量に応じた信号を出力する受光部２３１より構成され、受光部２３１と発光部２３０とが塵埃の流れる空気通路に対向して配されてなる塵埃検出手段２１が設けられている。塵埃検出手段２１の上流側には、ホース８を通じて塵埃を塵埃捕集部３へ導く集塵通路２２と粉末脱臭剤２３を塵埃検出手段２１を通じ塵埃捕集部３に導く脱臭剤通路２４とを切換える通路切換え手段２５が配されている。なお通路切換え手段２５は回動軸２６の回動動作により通路を切換えることができ、回動軸２６はステッピングモータ（図示せず）に直結またはギヤ（図示せず）を介し連結され、ステッピングモータ（図示せず）にパルス信号を与える制御回路と共に制御手段２７を構成する。また脱臭剤通路２４には電動送風機２の吸引力により外気を吸引するための外気孔２９、脱臭剤通路２４中には塵埃捕集部３に粉末脱臭剤２３を流入させる脱臭剤流入手段２８が設けられている。さらに外気孔２９にはフィルター３０が配されている。脱臭剤流入手段２８には外気孔２９と塵埃捕集部３を連通させる孔３１であり、粉末脱臭剤２３は下流側の孔３１ａを通過し塵埃捕集部３に流入する。
【００１９】
図３はこの電気掃除機のブロック図で６０は電動送風機２を駆動するための双方向性サイリスタなどで構成された駆動手段である。６１はマイクロコンピュータなどで構成される判断制御手段である。掃除機本体１の電源がＯＮされると判断制御手段６１は駆動手段６０へ駆動信号を送る。塵埃検出手段２１の出力信号はオペアンプやコンパレータなどで構成し、増幅機能とフィルター機能を持たせている変換部６４で、塵埃検出手段２１で検出されたアナログ信号をパスル信号に変換して判断制御手段６１に伝達している。６５は塵埃検出信号を受けてカウントする塵埃計数手段であり、掃除開始からのゴミパスル数の蓄積を行っている。６６はゴミパルスの蓄積数を記憶する記憶手段で、終了したときの蓄積パルス数を記憶しておき、次回の掃除時には記憶された値からカウント数を蓄積していく。通路切換え制御手段２７は記憶手段６６に記憶されたゴミパルスの蓄積数により塵埃量を検出し、その値が所定値を超えると通路切換え手段２５を動作させ、脱臭剤通路２４に切換え、粉末脱臭剤２３を塵埃捕集部３に流入させるようにする。脱臭剤通路２４に切換えられた時点で判断制御手段６１は、塵埃検出手段２１で検出されるアナログ信号を脱臭剤パスル数として判断し、塵埃捕集部３に流入する粉末脱臭剤２３の量を検出する。
【００２０】
以上のように構成された電気掃除機において、その動作を説明する。
【００２１】
まず、本体１を商用電源（図示せず）に接続し、使用者が掃除機本体１の電源（図示せず）をＯＮさせると判断制御手段６１は駆動手段６１へ駆動信号を送る。駆動手段６１は送られてきた信号によって電動送風機２への通電を行い、電動送風機２は回転を開始し、吸引力が発生する。このとき判断制御手段６１は切換え制御手段２７に信号を送り、切換え制御手段２７は集塵通路２２を開通させ、脱臭剤通過路２４を閉鎖させるように通路切換え手段２５を動作させる。
【００２２】
電動送風機２によって発生した吸引力によって、吸込み具１６から吸引された塵埃は、延長管１３、ホース８を経て本体１内の塵埃捕集部３に集塵される。この間、塵埃が塵埃検出手段２１を通過すると、つまり発光部２３０と受光部２３１の間を塵埃が通過すると受光量が図４のように変化する。また、この受光量の変化は小さいため、このアナログ信号を増幅し、この結果が、所定の閾値を越えていれば、塵埃検出信号として出力するようになっている。
【００２３】
次に、塵埃計数手段６５は塵埃検出信号をカウントし、その蓄積されたカウント数が予め設定されたカウント数以上になったときに、判断制御手段６１は、所定量の塵埃が塵埃捕集部３に集塵されたと判断し、制御手段２７に信号を送り、制御手段２７は脱臭剤通路２４を開通させ、集塵通路２２を閉鎖させるように通路切換え手段２５を動作させる。
【００２４】
脱臭剤通路２４が開通した状態になると外気孔２９から外気が吸引され、その外気は、脱臭剤流入手段２８を通過し粉末脱臭剤２３と共に塵埃検出手段２１を通過し、塵埃捕集部３に流入する。また、判断制御手段６１は脱臭剤通路２４が開通した状態になったことを制御手段２７の信号により検知すると、塵埃検出手段２１で検出されるアナログ信号を脱臭剤パスル数として判断し、塵埃捕集部３に流入する粉末脱臭剤２３の量を判断する。検出された脱臭剤パスル数があらかじめ設定された塵埃量に応じて設定されるカウント数以上になったとき、判断制御手段６１は、所定量の粉末脱臭剤２３が塵埃捕集部３に流入したと判断し、制御手段２７に信号を送り、制御手段２７は、再び集塵通路２２を開通させ、脱臭剤通路２４を閉鎖させるように通路切換え手段２５を動作させる。なお、通路切換えの判断となる所定の塵埃量および塵埃量に対する粉末脱臭剤２３の量は自由に設定できる。
【００２５】
よって、塵埃捕集部３に流入した塵埃の集塵量と脱臭剤量が塵埃検出手段２１のみで検知でき、かつ塵埃の集塵量に応じた消臭効果が得られる脱臭剤量を正確に塵埃捕集手段３に適正量流入させることができ、塵埃を確実に粉末脱臭剤２３で覆えるようになる。
【００２６】
また、設定される所定の塵埃量が少なく、塵埃捕集部３に流入させる所定の粉末脱臭剤２３が少ない場合には、通路切換え手段２５が脱臭剤通路２４を開通する側へ切換えられた際、外気と共に粉末脱臭剤２３が急に多量に塵埃捕集手段３に流入することを防止するために判断制御手段６１は、低い電力で電動送風機２の運転が行われるように駆動手段６１へ駆動信号を送り、低い吸引力で粉末脱臭剤２３を吸引するようにする。
【００２７】
さらに、通路切換え手段２５が脱臭剤通路２４を開通する側へ切換えられているとき、判断制御手段６１は、集塵通路２２は閉鎖されており、掃除対象面の塵埃が吸引されていない状態にあり、そのことを使用者に知らせるため、非掃除作業表示手段４１により表示をおこなう。通路切換え手段２５が脱臭剤通路２４を開通する側へ切換えられた状態において、塵埃検出手段２１が塵埃捕集部３に流入する粉末脱臭剤２３を検出できない場合、判断制御手段６１は、脱臭剤補充表示手段４２に信号を送り、脱臭剤がなくなったことを使用者に知らせる。かつ脱臭剤補充表示手段４２による表示を行ってから使用者が粉末脱臭剤２３を補充しなくとも掃除作業ができるよう、つまり掃除対象面の塵埃が吸引されるよう、所定時間経過後に判断制御手段６１は、制御手段２７に信号を送り、制御手段２７は、集塵通路２２を開通させ、脱臭剤通路２４を閉鎖させるように通路切換え手段２５を動作させるようにする。よって、以上のように動作させることで使用者の使い勝手を向上させることができる。
【００２８】
なお、本実施の形態では切換え手段２５および塵埃検出手段２１を接続パイプ９内に配しているが、本体１内および先端パイプ１２内、延長管１３に内蔵する構成でもよい。
【００２９】
（実施の形態２）
図５は、本発明の第２の実施の形態におけるブロック図である。６７は掃除作業をＯＮ、ＯＦＦにより開始、終了させる操作手段であり、６８は通路切換え手段２５を常に集塵通路を開通させることを使用者の意図により選択することのできる集塵通路選択手段である。その他の構成は実施の形態１と同様のため説明は省略する。
【００３０】
以上のように構成された電気掃除機において、その動作を説明する。
【００３１】
まず、本体１を商用電源（図示せず）に接続し、使用者が操作手段６７をＯＮさせると判断制御手段６１は駆動手段６１へ駆動信号を送る。駆動手段６１は送られてきた信号によって電動送風機２への通電を行い、電動送風機２は回転を開始し、吸引力が発生する。このとき判断制御手段６１は制御手段２７に信号を送り、制御手段２７は集塵通路２２を開通させ、脱臭剤通路２４を閉鎖させるように通路切換え手段２５を動作させる。
【００３２】
電動送風機２によって発生した吸引力によって、吸込み具１６から吸引された塵埃は、延長管１３、ホース８を経て本体１内の塵埃捕集部３に集塵される。この間、塵埃が塵埃検出手段２１を通過すると、つまり発光部２３０と受光部２３１の間を塵埃が通過すると受光量が図４のように変化する。また、この受光量の変化は小さいため、このアナログ信号を増幅し、この結果が、所定の閾値を越えていれば、塵埃検出信号として出力するようになっている。
【００３３】
次に、塵埃計数手段６５は塵埃検出信号をカウントし、判断制御手段６１は操作手段６７がＯＮされた時点からのゴミパルス数を記憶手段６６に蓄積する。
【００３４】
使用者が操作手段６７をＯＦＦさせると、判断制御手段６１は、使用者が掃除作業を終了したものと判断し、制御手段２７に信号を送り、制御手段２７は脱臭剤通過路２４を開通させ、集塵通路２２を閉鎖させるように通路切換え手段２５を動作させ、記憶手段６６に蓄積されたゴミパルス数に応じて塵埃捕集部３に流入させるべき粉末脱臭剤２３の量を決定する。その後、判断制御手段６１が、脱臭剤通路２４が開通した状態になったことを制御手段２７の信号により検知すると、塵埃検出手段２１で検出されるアナログ信号を脱臭剤パスル数として判断し、決定された塵埃捕集部３に流入させるべき粉末脱臭剤２３の量に相当する脱臭剤パスル数が検出されると、電動送風機２への通電を停止させ、記憶手段６６に蓄積されたゴミパルス数をクリアする。
【００３５】
よって、一回の掃除（清掃）作業において、掃除作業終了に塵埃捕集部３に流入した塵埃量に応じた粉末脱臭剤２３を流入させることができるため、掃除作業中に通路切換え手段２５の切換えをおこなうことがない。
【００３６】
また、通路切換え手段２５を常に集塵通路を開通させることを使用者の意図により選択することのできる集塵通路選択手段６８を設けることで、集塵通路選択手段６８がＯＮされると判断制御手段６１が制御手段２７の信号に信号を送り、制御手段２７は常に集塵通過路を開通させるよう通路切換え手段２５を制御することができる。これにより、使用者が臭気の少ないごみを吸い込んでいると判断した場合、不必要な粉末脱臭剤２３を塵埃捕集部３に流入させることを防止できる。
【産業上の利用可能性】
【００３７】
以上のように、本発明にかかる電気掃除機は、塵埃の集塵量と脱臭剤量を塵埃検出手段のみで検知でき、かつ塵埃の集塵量に応じた消臭効果が得られる脱臭剤量を正確に塵埃捕集部に適正量流入させることができるため、塵埃の臭いを脱臭剤で確実に脱臭できるようになり、より安価で使用性が向上した電気掃除機を提供することができる。
【図面の簡単な説明】
【００３８】
【図１】本発明の実施の形態１における電気掃除機の全体斜視図
【図２】（ａ）同電気掃除機の接続パイプの集塵通路を開通した場合の要部断面図（ｂ）同電気掃除機の接続パイプの脱臭剤通路を開通した場合の要部断面図
【図３】同電気掃除機のブロック図
【図４】（ａ）同電気掃除機の塵埃検出手段の動作概念図（ｂ）同電気掃除機の塵埃検出手段の領域と他の領域とにおける受光量との関係を表す相関図
【図５】本発明の実施の形態２における電気掃除機のブロック図
【符号の説明】
【００３９】
１      本体
２      電動送風機
３      塵埃捕集部
８      ホース
９      接続パイプ
１０    吸気口
１１    手元操作部
１２    先端パイプ
１３    延長管
１４    回転ブラシ
１６    吸込み具
２１    塵埃検出手段
２２    集塵通路
２３    粉末脱臭剤
２４    脱臭剤通路
２５    通路切換え手段
２６    回動軸
２７    制御手段
２８    脱臭剤流入手段
２９    外気孔
３０    フィルター
３１    孔
３１ａ  孔（下流側）
６１    判断制御手段
６４    変換部
６５    塵埃計数手段
６６    記憶手段
６７    操作手段
６８    集塵通路選択手段
【図１】
2008036110.tif 000003
【図２】
2008036110.tif 000004
【図３】
2008036110.tif 000005
【図４】
2008036110.tif 000006
【図５】
2008036110.tif 000007